(57)【要約】【課題】コピー制御のかかったコンテンツをムーブする際、同一コンテンツが２重に残らないようにする為、データ読み込み（ムーブ）と同時に元ファイルを消す（書き込む）という処理が必要になり、コンテンツを保持する媒体へのアクセス量が増加する。【解決手段】録画コンテンツをムーブする機能を有する録画再生装置であって、ムーブを実行する際、ムーブ位置を定期的に格納する格納部と、そのムーブ位置情報に基づいてムーブされた場所を再生不能に補正する事が可能な再生位置補正部とを備え、ムーブ動作と同時にコンテンツを常時消去する必要をなくす。【選択図】図１
2008310863.tif 000002
【特許請求の範囲】
【請求項１】
コンテンツを記録するコンテンツ記録媒体と、
テレビ信号を受信する受信手段と、
前記受信手段で受信したテレビ信号を録画コンテンツとして前記コンテンツ記録媒体へ録画する録画手段と、
コンテンツを示す情報とコンテンツの再生位置を示す情報とからなるムーブ位置情報を記憶するムーブ位置情報記憶手段と、
前記ムーブ位置情報記憶手段に記憶されたムーブ位置情報に基づき、前記コンテンツ記録媒体に録画された録画コンテンツの再生位置を決定する再生位置補正手段と、
前記再生位置補正手段で決定された録画コンテンツの再生位置から録画コンテンツを再生する再生手段と、
前記コンテンツ記録媒体に録画された録画コンテンツをムーブするムーブ手段と、
を備え、
前記ムーブ手段は、ムーブ開始からムーブが終了するまでの間、前記ムーブ位置情報記憶手段に記憶されたムーブ位置情報を定期的に更新する録画再生装置。
【請求項２】
コンテンツを示す情報と再生の終了した位置を示す情報とからなる再生位置情報を記憶する再生位置情報記憶手段を備え、
前記再生位置補正手段は、
前記ムーブ位置情報記憶手段に記憶されたムーブ位置情報及び前記再生位置情報記憶手段に記憶された再生位置情報に基づき、前記コンテンツ記録媒体に録画された録画コンテンツの再生位置を決定することを特徴とする請求項１記載の録画再生装置。
【発明の詳細な説明】
【技術分野】
【０００１】
本発明は、録画再生装置のムーブ装置に関し、より特定的には、コンテンツのムーブ機能を実施する際の記録媒体へのアクセス量低減を行う事が可能な録画再生装置に関する。
【背景技術】
【０００２】
デジタル録画が一般化された近年において、コンテンツの録画機能と著作権問題は切り離せない問題の１つである。デジタル録画ではコピーによる画質劣化が発生しない為、コピー制御と呼ばれる著作権保護の仕組みが設けられている。
【０００３】
例えば、ＨＤＤ（ハードディスク）内蔵の録画再生装置などでは、ＨＤＤに溜まったコンテンツを別機器や別メディア等にコピーする場合、ムーブという機能が用いられるが、コピー制御のかかったコンテンツの場合、コピーではなくムーブ（移動）になる。ここでムーブとは、コンテンツを別機器や別メディア等にコピーするとともに、コピー元のコンテンツを消去する動作及び機能を示す。
【０００４】
このムーブという機能を、著作権を優先し確実にコンテンツを２重に残さないように行う為には、再生しながらコンテンツを消すという方法が一般的であり、さらに不慮の電源断を考慮し、ファイルを事前に小さなファイルに分割して消していく方法や、複数のファイルを作成して再生できるものを１つだけにするなどの手段が用いられていた。
【特許文献１】特開２００２−３００５１７号公報
【特許文献２】特開２００５−３５２６４２号公報
【発明の開示】
【発明が解決しようとする課題】
【０００５】
しかしながら、上述の方法では、単なるコピーの場合に比較しＨＤＤへの書き込み（消去）アクセスが増えてしまう事になる。近年の録画再生装置では、ムーブしながらＨＤＤへの録画と再生を同時に行うという事も必要になり、ＨＤＤへのアクセス量が増加してしまうという課題があった。
【０００６】
本発明は、ＨＤＤへのアクセス量を増やす事無く、コピー制御を確実に行えるようにする為の録画再生装置を提供することを目的とする。
【課題を解決するための手段】
【０００７】
本発明の録画再生装置は、コンテンツを記録するコンテンツ記録媒体と、テレビ信号を受信する受信手段と、受信手段で受信したテレビ信号を録画コンテンツとしてコンテンツ記録媒体へ録画する録画手段と、コンテンツを示す情報とコンテンツの再生位置を示す情報とからなるムーブ位置情報を記憶するムーブ位置情報記憶手段と、ムーブ位置情報記憶手段に記憶されたムーブ位置情報に基づき、コンテンツ記録媒体に録画された録画コンテンツの再生位置を決定する再生位置補正手段と、再生位置補正手段で決定された録画コンテンツの再生位置から録画コンテンツを再生する再生手段と、コンテンツ記録媒体に録画された録画コンテンツをムーブし、ムーブ開始からムーブが終了するまでの間、ムーブ位置情報記憶手段に記憶されたムーブ位置情報を定期的に更新するムーブ手段とを備えたことを特徴とする。
【発明の効果】
【０００８】
本発明は、どこまでムーブしたのかというムーブ位置情報を利用する事により、コンテンツをムーブしていくと同時に元データを消去するという処理の必要性がなくなり、つまりは、コンテンツの記録媒体へのアクセス量を減らせるという効果を有する事になる。
【発明を実施するための最良の形態】
【０００９】
以下本発明を実施するための最良の形態について、図面を参照しながら説明する。
【００１０】
（実施の形態１）
図１は、本発明の一実施の形態における録画再生装置の構成を示すブロック図である。
【００１１】
図１において、録画再生装置は、テレビ放送を受信する受信手段１１０と、テレビ信号をコンテンツ記録媒体１６０に記録する為の録画手段１３０と、受信手段１１０により受信したテレビ信号をコンテンツとして記録する為の記憶媒体であるコンテンツ記録媒体１６０と、コンテンツ記録媒体１６０に記録した録画コンテンツを再生する為の再生手段１４０と、コンテンツ記録媒体１６０に記録した録画コンテンツをムーブする為のムーブ手段１５０と、ムーブ（ダビング）時にムーブ位置を保持するムーブ位置情報記憶手段１７０と、ムーブ位置情報記憶手段１７０からの情報を基に再生位置を補正する再生位置補正手段１８０と、受信手段１１０または再生手段１４０からの出力をデコードし、映像信号・音声信号として出力する映像・音声デコード手段１２０からなる。
【００１２】
以上のように構成された本発明の一実施の形態における録画再生装置について動作を説明する。
【００１３】
受信手段１１０により受信されたテレビ信号は、録画手段１３０によってコンテンツ記録媒体１６０に記録される。コンテンツ記録媒体１６０に記録されたコンテンツのうち、コピー制御の掛かっていないコンテンツ、または、ムーブ（ダビング）がされていないコンテンツの再生時には、再生手段１４０は、再生位置補正手段１８０を通じて、コンテンツ記録媒体１６０からコンテンツデータを読み出し、映像・音声デコード手段１２０にて映像信号および音声信号に変換する。この際、再生位置補正手段１８０は再生位置を補正することなく、コンテンツの最初からもしくはユーザの所望の再生位置からコンテンツを再生する。
【００１４】
次に、コンテンツ記録媒体に存在する特定コンテンツを別機器や別メディアにムーブする場合について説明する。ムーブ手段１５０は、コンテンツ記録媒体１６０からコンテンツデータを読み出して、コンテンツの開始位置からコンテンツデータの出力を行う。この際、コピー制御の掛かったコンテンツの場合には、どこまでムーブ実行（コンテンツのデータを出力）したのかを示すムーブ位置情報をムーブ位置情報記憶手段１７０に記憶する。ムーブ位置情報は、コンテンツを示す情報とコンテンツの再生位置を示す情報とからなる。コンテンツの再生位置を示す情報としては、例えば、コンテンツデータのうちムーブしたデータサイズ（byteなど）であっても良いし、コンテンツの開始からの時間を示すデータ（時・分・秒など）であってもよい。
【００１５】
再生位置補正手段１８０は、ムーブ位置情報記憶手段１７０に記憶されているムーブ位置情報を持つコンテンツを再生／ムーブ処理する場合に、コンテンツの再生を開始する再生位置及びムーブ（ダビング）位置を、ムーブし終わった位置より後に強制的に設定する。
【００１６】
次に、本発明の録画再生装置のムーブ時と再生時の動作について、図２のフローチャートを用いて説明する。
【００１７】
まず、ムーブ時の動作について説明する。コンテンツをムーブする場合において、再生位置補正手段１８０はムーブ位置情報記憶手段１７０に記憶されているムーブ位置情報を参照し、ムーブ開始位置の補正をする（Ｓ２０１）。その後、ムーブを開始し、ムーブ開始からムーブが終了するまでの間、定期的にどこまでムーブされたかというムーブ位置情報を記録し続ける（Ｓ２０２）。ムーブ位置情報は、コンテンツの再生位置を特定できる情報であり、また、どのコンテンツに対するムーブ位置情報であるかが明確になりさえすれば、コンテンツを保持する記録媒体とは全く別領域に記録する事も可能である。ムーブ位置情報の記録間隔は、短いほど好ましい。記録間隔の一例としては、ＡＲＩＢでは１分間未満であれば、コンテンツが２重になっても良い旨の表記があるので、１分未満とすることが考えられる。ユーザがムーブを途中終了あるいは電源断してしまう等、途中でムーブが終了することが無くムーブしているコンテンツについてムーブが完全に終了すれば、当該コンテンツを消去すると同時にムーブ位置情報も消去を行う（Ｓ２０４）。以上の動作により、コピー制御されたコンテンツが何度のムーブされることを防止することができる。
【００１８】
次に、再生時の動作について説明する。
【００１９】
再生時には、まず、再生するコンテンツに関するムーブ位置情報がムーブ位置情報記憶手段１７０に記憶されているか否かを判断する（Ｓ２１１）。再生するコンテンツに関するムーブ位置情報が存在しない場合は、通常のコンテンツとして最初から再生を開始する。一方、再生するコンテンツに関するムーブ位置情報がムーブ位置情報が存在する場合には、ムーブされた位置まで再生位置を進める（Ｓ２１２）。これにより、ムーブされた所までのコンテンツが、再び再生されることを防止することができる。
【００２０】
図３は、ムーブ位置情報の具体例であり、（Ａ）及び（Ｂ）の二つの例である。（Ａ）は全てのコンテンツに対して対応するムーブ位置情報を持った一覧表を１つのデータとして保持する形式である。図３の（Ａ）においては、例えば、コンテンツ識別番号２５で表されるコンテンツはコンテンツ開始から１０分のところまでは、ムーブが終了していることを示している。（Ｂ）は、ムーブ位置情報が存在するコンテンツについてだけ、そのコンテンツ識別番号をファイル名にして、その内容にムーブ位置情報を保持するというものである。図３の（Ｂ）においては、例えば、コンテンツ識別番号２５で表されるコンテンツはコンテンツ開始から１０分のところまでは、ムーブが終了していることを示している。
【００２１】
図５は、ムーブ途中のコンテンツをユーザに示す例を示したものである。コンテンツ記録媒体１６０に記録されたコンテンツの一覧を表示した場合に、ムーブ位置情報が存在するコンテンツに対しては所定のアイコンを表示することにより、当該コンテンツが最初から再生できない旨をユーザに報知する。
【００２２】
かかる構成によると、コピー制御されたコンテンツをムーブするに際して、どこまでムーブしたのかというムーブ位置情報を利用する事により、コンテンツ保護の為にコンテンツをムーブしていくと同時に元データを消去するという処理の必要性がなくなる。このため、コピー制御されたコンテンツをムーブする場合に、コンテンツの記録媒体へのアクセス量を減らすことができる。
【００２３】
（実施の形態２）
図４は、本発明の他の実施の形態における録画再生装置の構成を示すブロック図である。
【００２４】
図４において、録画再生装置は、テレビ放送を受信する受信手段２１０と、テレビ信号をコンテンツ記録媒体２６０に記録する為の録画手段２３０と、受信手段２１０により受信したテレビ信号をコンテンツとして記録するコンテンツ記録媒体２６０と、コンテンツ記録媒体２６０に記録した録画コンテンツを再生する為の再生手段２４０と、コンテンツ記録媒体２６０に記録した録画コンテンツをムーブする為のムーブ手段２５０と、ムーブ（ダビング）時にムーブ位置を保持するのがムーブ位置情報記憶２７０と、再生時に再生位置を保持するのが再生位置情報記憶手段２９０と、ムーブ位置情報記憶手段２７０と再生位置情報記憶手段２９０とからの情報を基に再生位置を補正する再生位置補正手段２８０と、からなる。
【００２５】
以上のように構成された本発明の実施の形態における録画再生装置について動作を説明する。ムーブの動作については実施の形態１と同様であるので説明を省略する。
【００２６】
次に、再生時の動作について説明する。コピー制御の掛かったコンテンツを再生する場合、再生の終了時には再生の終了した位置及びコンテンツを示す再生位置情報を再生位置情報記憶手段２９０に記憶する。
【００２７】
再生位置補正手段は２８０は、ムーブ位置情報記憶手段２７０に記憶されているムーブ位置情報と再生位置情報記憶手段２９０に記憶されている再生位置情報とを参照する。そして、ムーブ位置情報と再生位置情報とのうち、より進んだ位置情報を選択して、再生・ムーブの開始位置とする。
【００２８】
かかる構成によると、ムーブ途中のコンテンツに対しても最後の再生位置から再生する事が可能となる。
【産業上の利用可能性】
【００２９】
本発明の録画再生装置は、コピー制御のかかった録画コンテンツをムーブする際の、記録媒体へのアクセス量を低減させる事が可能であるという効果を有し、録画・再生・ムーブといった機能を同時に実行させる機器を実現する上で、記録媒体へのアクセス集中を回避できる点で有用である。
【図面の簡単な説明】
【００３０】
【図１】本発明の実施の形態１における録画再生装置の構成を示すブロック図
【図２】本発明の実施の形態１における録画再生装置のムーブと再生処理手順を示すフローチャート
【図３】本発明の実施の形態１における録画再生装置のムーブ位置情報を示すデータ構成の例を示す図
【図４】本発明の実施の形態２における録画再生装置の構成を示すブロック図
【図５】ユーザへの表示インターフェースの一例を示す図
【符号の説明】
【００３１】
１１０    受信手段
１２０    映像・音声デコード手段
１３０    録画手段
１４０    再生手段
１５０    ムーブ手段
１６０    コンテンツ記録媒体
１７０    ムーブ位置情報記憶手段
１８０    再生位置補正手段
２１０    受信手段
２２０    映像・音声デコード手段
２３０    録画手段
２４０    再生手段
２５０    ムーブ手段
２６０    コンテンツ記録媒体
２７０    ムーブ位置情報記憶手段
２８０    再生位置補正手段
２９０    再生位置情報記憶手段
【図１】
2008310863.tif 000003
【図２】
2008310863.tif 000004
【図３】
2008310863.tif 000005
【図４】
2008310863.tif 000006
【図５】
2008310863.tif 000007